(57)【要約】【課題】載置場所の移動等のために持ち上げる際に、手を滑らせて落下させてしまう虞がなく、安全かつ容易に持ち運ぶことが可能な粘着テープカッターを提供する。【解決手段】粘着テープカッター１における上下に貫通する中空のカッターボディ３に、その横長手方向に延びる一対の側壁を貫通して、該横長手方向に横長に開口された把持穴４を開設し、該把持穴４に手を挿入して上記カッターボディ３を把持することにより、持ち運ぶことができるように構成する。【選択図】図１
2008120527.tif 000002
【特許請求の範囲】
【請求項１】
ロール状に巻回された粘着テープを保持するためのリールと、
横長手方向の第１端側に上記リールを回転自在かつ着脱自在に支持するリール支持部を備えると共に、第２端側に該リールから引き出された粘着テープを切断する切断部を備え、底部に載置用の基台部を備えて成るカッターボディとを有し、
上記カッターボディには、その横長手方向に延びる側面から厚さ方向に、該横長手方向に横長に開口された把持穴が開設されており、
上記把持穴に手を挿入して上記カッターボディを把持することにより、持ち運ぶことができるように構成されている、
ことを特徴とする粘着テープカッター。
【請求項２】
請求項１に記載の粘着テープカッターにおいて、上記把持穴が、カッターボディにおける横長手方向に延びる一対の側面間を、上記リール支持部よりも底部側の位置において貫通しているもの。
【請求項３】
請求項２に記載の粘着テープカッターにおいて、上記カッターボディが、上記基台部と、上記リール支持部及び切断部を有する本体部と、該本体部における上記第１端側及び第２端側の下端部から延設されて、上記基台部上に連結された一対の脚部とにより構成されていて、
上記把持穴が、上記一対の脚部間における本体部と基台部との間の間隙によって形成されているもの。
【請求項４】
請求項３に記載の粘着テープカッターにおいて、上記カッターボディの本体部が、上下に貫通して上記把持穴と連通する中空状に形成されているもの。
【請求項５】
請求項１から請求項４のいずれかに記載の粘着テープカッターにおいて、上記リール支持部が、上記リールの回転軸を着脱自在かつ回転自在に支持するための軸受溝を有していて、
上記軸受溝が、一端がカッターボディの外部に開口されて上記回転軸を挿抜するためのリール着脱部と、該リール着脱部の他端に連設されて上記回転軸を回転自在に支持するための軸受部とを備え、
上記軸受部が、上記カッターボディの第２端側に向けて斜め下方に緩やかに傾斜する長溝状に形成されているもの。
【請求項６】
請求項１から請求項５のいずれかに記載の粘着テープカッターにおいて、少なくとも上記カッターボディ全体が金属で形成されているもの。
【発明の詳細な説明】
【技術分野】
【０００１】
本発明は、卓上等に載置した状態で、ロール状に巻かれた粘着テープを引き出して所要の長さに切断するための粘着テープカッターに関するものである。より具体的には、例えば食品を取り扱うような衛生的な環境下で使用するのに適した粘着テープカッターに関するものである。
【背景技術】
【０００２】
この種の粘着テープカッターは、例えば特許文献１に開示されているもののように、ロール状に巻かれた粘着テープを保持するリールと、該リールを回転自在に支持するリール支持部、及び該リールから引き出された粘着テープを切断するテープ切断部を備えたカッターボディとから構成されている。そして、このような従来の粘着テープカッターを載置場所の移動等のために持ち運ぶにあたっては、上記カッターボディがリール支持部及びテープ切断部を一体に備えた塊状のものであるため、卓上等に載置された該カッターボディの側面を上方あるいは側方から手で掴んで持ち上げるのが通常である。
しかしながら、上記粘着テープカッターにおいては、カッターボディが粘着テープを引き出す際の錘となるようにある程度の重量を有しているため、該カッターボディを手で掴んで持ち上げた際に手を滑らせて落下させてしまう危険性がある。特に、油を使用するような場所においては、手や手袋に油が付着し易いため、その危険性が顕著である。さらに、上記カッターボディは外面が合成樹脂で形成されているのが一般的であるため、粘着テープカッターを落下させた際に該カッターボディが破損する虞があり、例えば食品加工場や弁当加工場等、食品を扱うような衛生的な場所においては、カッターボディの破損により生じた破片が食品に混入する等して、衛生上の問題が生じる可能性もある。
【０００３】
【特許文献１】特開２００３−９５５２４号公報
【発明の開示】
【発明が解決しようとする課題】
【０００４】
本発明の課題は、載置場所の移動等のために持ち上げる際に、手を滑らせて落下させてしまう虞がなく、安全かつ容易に持ち運ぶことが可能な粘着テープカッターを提供することにある。
【課題を解決するための手段】
【０００５】
上記課題を解決するため、本発明に係る粘着テープカッターは、ロール状に巻回された粘着テープを保持するためのリールと、横長手方向の第１端側に上記リールを回転自在かつ着脱自在に支持するリール支持部を備えると共に、第２端側に該リールから引き出された粘着テープを切断する切断部を備え、底部に載置用の基台部を備えて成るカッターボディとを有し、上記カッターボディには、その横長手方向に延びる側面から厚さ方向に、該横長手方向に横長に開口された把持穴が開設されており、上記把持穴に手を挿入して上記カッターボディを把持することにより、持ち運ぶことができるように構成されていることを特徴としている。
【０００６】
上記本発明においては、好ましくは、上記把持穴が、カッターボディにおける横長手方向に延びる一対の側面間を、上記リール支持部よりも底部側の位置において貫通している。このとき、上記カッターボディが、上記基台部と、上記リール支持部及び切断部を有する本体部と、該本体部における上記第１端側及び第２端側の下端部から延設されて、上記基台部上に連結された一対の脚部とにより構成されていて、上記把持穴が、上記一対の脚部間における本体部と基台部との間の間隙によって形成されていると望ましく、さらに、上記カッターボディの本体部が、上下に貫通して上記把持穴と連通する中空状に形成されているとなお望ましい。
【０００７】
また、本発明においては、上記リール支持部が、上記リールの回転軸を着脱自在かつ回転自在に支持するための軸受溝を有していて、上記軸受溝が、一端がカッターボディの外部に開口されて上記回転軸を挿抜するためのリール着脱部と、該リール着脱部の他端に連設されて上記回転軸を回転自在に支持するための軸受部とを備え、上記軸受部が、上記カッターボディの第２端側に向けて斜め下方に緩やかに傾斜する長溝状に形成されていることが望ましい。さらに、本発明においては、少なくとも上記カッターボディ全体が金属で形成されていることが望ましい。
【発明の効果】
【０００８】
本発明の粘着テープカッターによれば、カッターボディに、その横長手方向に延びる側面から厚さ方向に、該横長手方向に横長に開口された把持穴を開設し、該把持穴に手を挿入して上記カッターボディを把持することができるようにしたため、該カッターボディを安定的に把持することが可能となり、該粘着テープカッターを、手を滑らせて落下させてしまう虞がなく、安全かつ容易に持ち運ぶことが可能となる。
【発明を実施するための最良の形態】
【０００９】
図１から図４は本発明に係る粘着テープカッターの一実施例を示すもので、この実施例の粘着テープカッター１は、ロール状に巻回された粘着テープを保持するためのリール２と、該リール２を回転自在かつ着脱自在に支持するリール支持部５、及び上記粘着テープを切断する切断部６が横長手方向に沿って配置されて成るカッターボディ３とで構成されている。そして、このカッターボディ３には、その横長手方向に伸びる側面から厚さ方向（短手方向）に向けて、横長に開口した把持穴４が開設されており、該把持穴４に手を挿入しすることにより、該カッターボディ３を把持することができるようになっている。
【００１０】
上記リール２は、上記粘着テープが着脱自在に取り付けられる環状のテープ装着部２ａと、該テープ装着部２ａの中心において、粘着テープの引き出し方向と直交する方向に互いに背向させて突設された一対の回転軸２ｂ，２ｂとを有しており、これら回転軸２ｂが上記リール支持部５によって支持されている。ここで、該リール２は、ステンレス等の耐蝕性や強度に優れた金属材料により形成されていることが望ましいが、それに特に限定されるものではない。
【００１１】
上記カッターボディ３は、図３に示すように、上記リール支持部５及び上記切断部６を一体に備えて成る本体部７と、該本体部７の下方であってカッターボディ３の最も底部に配設された載置用の基台部８と、これら本体部７と基台部８とを相互に固定的に連結する一対の脚部９，９とで構成されている。そして、このカッターボディ３は、全体としてステンレス等の耐蝕性や強度に優れた金属材料により形成されていて、水が付着しても錆難く、また、万が一落下させたとしても破損してその破片が周囲に飛散したりしないようになっている。
なお、この実施例のカッターボディ３において、上記本体部７及び一対の脚部９，９は、厚さが２ｍｍ程度の１枚の金属板を所定の形状に切断して折り曲げ端部を溶接することにより一体に形成されおり、上記脚部９，９と基台部８とは溶接により結合されている。
【００１２】
上記基台部８は、粘着テープの繰り出し方向に長い平面視略矩形のプレート状のもので、上記脚部９，９が固定された上面が略平坦となっており、底面には図示しない滑り止め用のゴム等が取り付けられている。
なお、この実施例において上記基台部８は、長手方向が約２３ｃｍで短手方向が約１０ｃｍ程度に形成されている。
【００１３】
一方、上記本体部７は、粘着テープの繰り出し方向に長く、上下に貫通する中空状、具体的には角筒状に形成されたもので、内部に平面視略矩形の空間Ｓを備えている。そして、該本体部７においては、カッターボディ３の横長手方向の第１端側に上記リール支持部５が配設され、該リール支持部５と反対側の第２端側に上記切断部６が配設されている。
また、図１からも明らかなように、上記カッターボディ３において、この本体部７は、基台部８に対して上記第１端側に若干偏寄した位置に配置されている。
なお、この実施例において上記本体部７は、平面視において、長手方向が約１８ｃｍ、短手方向が約３．２ｃｍ程度に形成されている。
【００１４】
上記リール支持部５は、本体部７における横長手方向に延びる一対の側壁の一部により形成された一対の支持壁１０、１０と、本体部７内の空間Ｓ内におけるこれら一対の支持壁１０，１０間に形成されたリール収容部１１とを有している。そして、該リール収容部１１内に上記リール２のテープ装着部２ａを少なくとも一部収容させた状態で、上記一対の支持壁１０，１０で該リール２の一対の回転軸２ｂ，２ｂをそれぞれ回転自在に支持している。
【００１５】
ここで、上記一対の支持壁１０，１０の上端部には、上記リールの回転軸２ｂを着脱自在かつ回転自在に支持するための軸受溝１２，１２が、これら支持壁１０，１０を厚さ方向に貫通してそれぞれ形成されている。これら各軸受溝１２は、図４に示すように、一端が上記支持壁１０の上端に開口されて上記回転軸２ｂを挿抜するためのリール着脱部１２ａと、該リール着脱部１２ａの他端に連設されて上記回転軸２ｂを回転自在に支持するための軸受部１２ｂとをそれぞれ備えている。
上記リール着脱部１２ａは、開口側に行くに従って次第に溝幅が大きくなっており、リール２の回転軸２ｂを挿入し易くなっている。また、上記軸受部１２ｂは、上記カッターボディ３の第２端側、即ち、本体部７の切断部６側に向けて斜め下方に緩やかに傾斜する長溝状に形成されていて、収容したリール２の回転軸２ｂが、粘着テープの繰り出しによる回転時や粘着テープの切断時の反動によって、該軸受溝１２から抜脱するのを防止している。さらに、この軸受部１２ｂは、その軸方向長さが上記回転軸２ｂの直径の約３〜４倍程度に形成されていて、回転軸２ｂがより抜脱し難くなっている。
【００１６】
なお、この実施例においては、上記一対の支持壁１０，１０の上端部が、図１に示すように、正面視において、第１端側が第２端側に向けて斜め上方に傾斜して一定高さまで立ち上がり、頂部が上記基台部８の上面とほぼ平行となっており、各支持壁１０，１０の頂部の中央付近に上記軸受溝１２のリール着脱部１２ａが開設されている。そして、この頂部の高さは、基台部８の上面から約８〜９ｃｍ程度となっている。
【００１７】
一方、上記切断部６は、金属薄板から成る切断刃６ａと、該切断刃６ａを粘着テープの繰り出し方向と直交する向きに固定する固定部６ｂと、その固定された切断刃６ａの両側端に配置された一対の立壁部６ｃ，６ｃとで構成されている。
ここで、上記切断刃６ａは、刃が上向きの状態で上記固定部６ｂの上端から突出するように、該固定部６ｂに対してネジ６ｄにより着脱可能に取り付けられている。
また、上記固定部６ｂは、図１に示すように、本体部７の短手方向に延びる側壁の上端部内面に設けられたもので、該側壁との間に上記ネジ６ｄを収容するための空間を形成している。そして、該固定部６ｂにおけるリール支持部５と対向する面に、該ネジ６ｄを螺挿するためのネジ孔６ｅが開設されている。
さらに、上記一対の立壁部６ｃ，６ｃは、粘着テープの繰り出し方向に沿うように、上記固定部６ｂの両側端に配設されていて、そのとき、それらの上端が、上記切断刃６ａの上端よりも高く位置するように形成されている。それにより、粘着テープの両側をガイドして、該粘着テープの繰り出し操作を容易にすると同時に、切断刃６ａの刃の露出を抑制して安全性を確保することが可能となる。
【００１８】
なお、この実施例において、上記固定部６ｂは、本体部７の上記短手方向に延びる側壁の上端部分を、該本体部７の内側（空間Ｓ側）に略コ字状に折り曲げることにより形成されている。また、上記切断部６の一対の立壁部６ｃ，６ｃも、上記リール支持部５の一対の支持壁１０，１０と同様に、上記本体部７における横長手方向に延びる一対の側壁の一部により形成されており、該立壁部６ｃ，６ｃの上端も、支持壁１０，１０の頂部と略同じ高さに位置している。
【００１９】
上記立壁部６ｃと支持壁１０との間には、上記リール支持部５及び切断部６よりも十分に高さが低く（約半分程度の高さ）、かつ上記基台部７の上面とほぼ平行な上端を有する連結部１３が形成されていて、リール支持部５と切断部６との間に十分な間隔が形成されている。それにより、使用者が粘着テープを繰り出す際に粘着テープに指で摘んで引っ張り易く、また切断刃６ａの交換の際に工具を上記ネジ６ｄにあてがい易くなっている。
なお、この実施例において、この連結部１３の横長手方向の長さは、大人の人差し指と中指を余裕をもって差し込むことが可能な約４ｃｍ程度となっている。
【００２０】
上記一対の脚部９，９は、本体部７の上記第１端側及び第２端側において、該本体部７の短手方向に延びる各側壁の下端から一体に延設されたもので、プレート状に形成され、その下端が上記基台部８の上面に固定されている。その結果、該両脚部９，９間における上記本体部７の下端と基台部８の上面との間、即ち、カッターボディ３における上記リール支持部５よりも底部側の位置に、該カッターボディ３の横長手方向に延びる一対の側壁を貫通する間隙が形成され、この略矩形に形成された横長の間隙が上記把持穴４を成している。ここで、該把持穴４は、大人の手を容易に挿入することができる程度の高さ（ここでは約２ｃｍ程度）に形成されている。
【００２１】
このような構成を有する上記粘着テープカッター１によれば、通常は卓上等に載置した状態で使用されるが、載置場所の移動等のために持ち運ぶにあたっては、カッターボディ３の上記把持穴４に手を挿入して、該カッターボディ３の本体部７の下部を把持することにより持ち上げる。このとき、上記把持穴４が、カッターボディ３の横長手方向に延びる側面から厚さ方向に向けて開設されていて、該横長手方向に横長に開口しているため、具体的には、上記把持穴４が、上記両脚部９，９間における本体部７の下端と基台部８の上面との間に形成されていて、該カッターボディ３の横長手方向に延びる一対の側壁を貫通しているため、この把持穴４に手を挿し込んでカッターボディ３全体をすくい上げるように把持することができ、それにより、該カッターボディ３を安定的に把持した状態で、粘着テープカッター１を安全かつ容易に持ち上げ、持ち運ぶことが可能となる。
【００２２】
しかも、上記カッターボディ３においては、上述のように本体部７の空間Ｓが該本体部７を上下に貫通していることから、上記把持穴４が該空間Ｓと連通しており、そのため、カッターボディ３を清掃する際にも、この把持穴４を利用して、本体部７の内周面（即ち、空間Ｓの周面）や、基台部８の上面等を、払拭布等の清掃具で比較的簡単に清掃することができる。また、食品加工場や弁当加工場等、食品を扱うような衛生的な場所おいて使用する場合、衛生上の観点からカッターボディ３全体を消毒・洗浄することが考えられるが、このような場合であっても、カッターボディ３に付着した水分の水切り作業や拭き取り作業を、極めて効率的かつ容易に行うことができる。
【００２３】
なお、本発明は、上述した実施例において説明した形態に限定されるものではなく、特許請求の範囲に記載されている発明の精神を逸脱しない範囲で、種々の修正及び変更が可能である。
例えば、この実施例では、一対の脚部９，９が、プレート状に形成されていて、上記本体部７における短手方向に延びる一対の側壁の下端から一体に延設されているが、該脚部９，９は本体部７と別体に形成されていても良く、それらの形状についても、本体部７の形状等に応じてプレート状以外の任意の形状とすることができる。また、これら脚部９，９を設ける位置についても、上記一対の側壁の下端に限らず、任意の位置に設けることができる。
ただし、把持穴４を、大人の手を挿入し易い大きさに形成することが肝要であり、また、該把持穴の位置も、カッターボディの重心を含む鉛直な軸線が、把持穴の長手方向の略中央に位置するように開設することが望ましく、これにより、持ち上げた際に重量バランスを取り易くなるため、より安定的に把持した状態で、より安全に持ち運ぶことが可能となる。
【図面の簡単な説明】
【００２４】
【図１】本発明に係る粘着テープカッターの一実施例を示すものであり、その一部を破断した正面図である。
【図２】図１のＡ−Ａ断面図である。
【図３】カッターボディの斜視図である。
【図４】軸受溝の要部拡大正面図である。
【符号の説明】
【００２５】
１  粘着テープカッター
２  リール
２ｂ  回転軸
３  カッターボディ
４  把持穴
５  リール支持部
６  切断部
７  本体部
８  基台部
９  脚部
１２  軸受溝
１２ａ  リール着脱部
１２ｂ  軸受部
【図１】
2008120527.tif 000003
【図２】
2008120527.tif 000004
【図３】
2008120527.tif 000005
【図４】
2008120527.tif 000006